(57)【特許請求の範囲】
【請求項１】
取付面と直交する軸まわりに形成された受容部と、前記受容部から内方に突出する態様で設けられ、内周面が取付面から奥方に向けて漸次大径となる爪部とを有するメスアリを光学機器または前記光学機器が取り付けられる被取付部材のいずれか一方に設け、
胴付面と直交する軸まわりに形成され、前記メスアリに受け容れられた場合に外周面が前記内周面と密着する張出部を有するオスアリを前記光学機器または前記被取付部材のいずれか他方に設け、
前記張出部が前記爪部に係合した状態で前記オスアリを押圧することにより、前記被取付部材に前記光学機器を取り付ける光学機器の取付構造において、
前記オスアリは、前記張出部から突出する態様で設けられ、着脱可能領域において、前記張出部が前記爪部に係合するように前記張出部が前記受容部に受け容れられた場合に前記張出部とともに前記受容部に受け容れられ、着脱可能領域から着脱不能領域に移動した場合に前記受容部の内壁面と干渉することにより、前記張出部が前記爪部に係合した状態を維持する突出部を有することを特徴とする光学機器の取付構造。
【請求項２】
前記受容部の内周径をＤ０、前記爪部の最小内周半径をＲ０、前記着脱可能領域の円弧長をＬ０、前記張出部の最大径をＤ１、前記突出部の最大外周半径をＲ１、前記突出部の占有領域の円弧長をＬ１とした場合に、
Ｄ０／２＋Ｒ０＞Ｄ１、
Ｌ０＞Ｌ１、
Ｄ０＞Ｄ１／２＋Ｒ１、
Ｄ０／２＞Ｒ１、
Ｌ０＜πＲ０、
Ｄ０／２＋Ｒ０＞Ｄ１／２＋Ｒ１
の寸法関係を満たすことを特徴とする請求項１に記載の光学機器の取付構造。
【発明の詳細な説明】
【技術分野】
【０００１】
本発明は、光学機器の取付構造に関する。
【背景技術】
【０００２】
鏡筒などの光学機器は、光学機器に設けたオスアリを顕微鏡本体などの被取付部材に設けたメスアリに受け容れた状態で、被取付部材に取り付けられる。
【０００３】
メスアリは、被取付部材の上面を取付面としており、取付面と直交する中心軸まわりに形成した光路を有している。また、メスアリは、取付面に臨むとともに、光路に連通する受容部を有している。受容部は、光路と同心円をなすように、中心軸のまわりに形成した大径穴であり、光路と受容部との境界部分には、平坦な底面が形成されている。
【０００４】
受容部の内径は、オスアリを受け容れるのに十分な大きさを有しており、受容部の内周を三分する三つの位置のうち二つの位置には、内方に突出する爪部が形成されている。爪部の内周面は、中心軸を中心に形成され、取付面から底面に向けて漸次大径となる円錐台の側面の一部を構成する。そして、取付面において最も小径となり、底面において最も大径となる。そして、爪部の内周面は、傾斜曲面となる。また、受容部の内周を三分する三つの位置のうち残りの一つの位置には、被取付部材の側面から受容部に連通するネジ孔が設けてある。このネジ孔には、セットビスが螺合している。
【０００５】
オスアリは、光学機器の下面を胴付面としており、胴付面から下方に張り出す張出部を有している。張出部は、胴付面と直交する軸を中心に形成され、胴付面から端面に向けて漸次大径となる円錐台形状を有している。そして、胴付面において最も小径となり、端面において最も大径となる。そして、張出部の側面は傾斜曲面となる。
【０００６】
そして、メスアリにオスアリを受け容れた状態で、セットビスを締めるとセットビスの先端が受容部に受け容れた張出部の外周面を押圧し、張出部の外周面が爪部の内周面に密着し、被取付部材に光学機器が取り付けられる（たとえば、特許文献１参照）。
【先行技術文献】
【特許文献】
【０００７】
【特許文献１】特許第３７５２３２０号公報
【発明の概要】
【発明が解決しようとする課題】
【０００８】
しかしながら、上述した光学機器の取付構造において、セットビスを緩めると、光学機器の重心まわりに自重が作用することにより、メスアリからオスアリが抜け落ちて、光学機器が被取付部材から落下する虞があった。
【０００９】
本発明は、上記に鑑みてなされたものであって、セットビスを緩めただけでは、メスアリからオスアリが抜け落ちて、光学機器が被取付部材から落下することのない光学機器の取付構造を提供することを目的とする。
【課題を解決するための手段】
【００１０】
上述した課題を解決し、目的を達成するために、本発明は、取付面と直交する軸まわりに形成された受容部と、前記受容部から内方に突出する態様で設けられ、内周面が取付面から奥方に向けて漸次大径となる爪部とを有するメスアリを光学機器または前記光学機器が取り付けられる被取付部材のいずれか一方に設け、胴付面と直交する軸まわりに形成され、前記メスアリに受け容れられた場合に外周面が前記内周面と密着する張出部を有するオスアリを前記光学機器または前記被取付部材のいずれか他方に設け、前記張出部が前記爪部に係合した状態で前記オスアリを押圧することにより、前記被取付部材に前記光学機器を取り付ける光学機器の取付構造において、前記オスアリは、前記張出部から突出する態様で設けられ、着脱可能領域において、前記張出部が前記爪部に係合するように前記張出部が前記受容部に受け容れられた場合に前記張出部とともに前記受容部に受け容れられ、着脱可能領域から着脱不能領域に移動した場合に前記受容部の内壁面と干渉することにより、前記張出部が前記爪部に係合した状態を維持する突出部を有することを特徴とする。
【００１１】
また、本発明は、上記光学機器の取付構造において、前記受容部の内周径をＤ０、前記爪部の最小内周半径をＲ０、前記着脱可能領域の円弧長をＬ０、前記張出部の最大径をＤ１、前記突出部の最大外周半径をＲ１、前記突出部の占有領域の円弧長をＬ１とした場合に、Ｄ０／２＋Ｒ０＞Ｄ１、Ｌ０＞Ｌ１、Ｄ０＞Ｄ１／２＋Ｒ１、Ｄ０／２＞Ｒ１、Ｌ０＜πＲ０、Ｄ０／２＋Ｒ０＞Ｄ１／２＋Ｒ１の寸法関係を満たすことを特徴とする。
【発明の効果】
【００１２】
本発明にかかる光学機器の取付構造は、張出部から突出する態様で設けられ、着脱可能領域において、張出部が爪部に係合するように張出部が受容部に受け容れられた場合に張出部とともに受容部に受け容れられ、着脱可能領域から着脱不能領域に移動した場合に受容部の内壁面と干渉することにより、張出部が爪部に係合した状態を維持する突出部を有するので、突出部を着脱可能領域から着脱不能領域に移動させれば光学機器の重心まわりに自重が作用してもメスアリからオスアリが抜け落ちることがない。
【図面の簡単な説明】
【００１３】
【図１】図１は、本発明の実施の形態１である光学機器の取付構造を構成するメスアリを示す斜視図である。
【図２】図２は、図１に示したメスアリの平面図である。
【図３】図３は、図２に示したメスアリのIII−III断面図である。
【図４】図４は、図２に示したメスアリのIV−O１−IV断面図である。
【図５】図５は、本発明の実施の形態１である光学機器の取付構造を構成するオスアリを示す斜視図である。
【図６】図６は、図５に示したオスアリを中心軸まわりに１８０度回転させた状態を示す斜視図である。
【図７】図７は、図５に示したオスアリの平面図である。
【図８】図８は、図７に示したオスアリのVIII−VIII断面図である。
【図９】図９は、メスアリがオスアリを受け容れる直前の状態を示す斜視図である。
【図１０】図１０は、メスアリがオスアリを受け容れた状態を示す斜視図であって、オスアリが着脱可能な状態を示す図である。
【図１１】図１１は、メスアリがオスアリを受け容れた状態を示す斜視図であって、オスアリが着脱不能な状態を示す図である。
【図１２】図１２は、メスアリがオスアリを受け入れた状態を示す平面図であって、オスアリが着脱可能な状態を示す図である。
【図１３】図１３は、図１２に示したXIII−XIII断面図である。
【図１４】図１４は、図１２に示したXIV−O−XIV断面図である。
【図１５】図１５は、爪部と突出部とが重なった状態を示す平面図である。
【図１６】図１６は、図１５に示したXVI−XVI断面図である。
【図１７】図１７は、メスアリがオスアリを受け容れた状態を示す平面図であって、オスアリが着脱不能な状態を示す図である。
【図１８】図１８は、図１７に示したXVIII−XVIII断面図である。
【図１９】図１９は、図１７に示したXIX−O−XIX断面図である。
【図２０】図２０は、本発明の実施の形態１である光学機器の取付構造を鏡筒の取付構造に適用した正立顕微鏡の側面図であって、鏡筒が着脱不能な状態を示す図である。
【図２１】図２１は、本発明の実施の形態１である光学機器の取付構造を鏡筒の取付構造に適用した正立顕微鏡の側面図であって、鏡筒が着脱可能な状態を示す図である。
【図２２】図２２は、本発明の実施の形態１である光学機器の取付構造を鏡筒の取付構造に適用した顕微鏡装置の側面図である。
【図２３】図２３は、本発明の実施の形態２である光学機器の取付構造を示す平面図であって、光学機器が着脱可能な状態を示す図である。
【図２４】図２４は、図２１に示したXXIV−XXIV断面図である。
【図２５】図２５は、本発明の実施の形態２である光学機器の取付構造を示す平面図であって、光学機器が着脱不能な状態を示す図である。
【図２６】図２６は、図２５に示したXXVI−O−XXVI断面図である。
【図２７】図２７は、本発明の実施の形態２の変形例１である光学機器の取付構造を示す平面図であって、光学機器が着脱可能な状態を示す図である。
【図２８】図２８は、図２７に示したXXVIII−XXVIII断面図である。
【図２９】図２９は、本発明の実施の形態２の変形例１である光学機器の取付構造を示す平面図であって、光学機器が着脱不能な状態を示す図である。
【図３０】図３０は、図２９に示したXXX―O―XXX断面図である。
【図３１】図３１は、本発明の実施の形態２の変形例２である光学機器の取付構造を示す平面図であって、光学機器が着脱不能な状態を示す図である。
【図３２】図３２は、図３１に示したXXXII−O−XXXII断面図である。
【図３３】図３３は、本発明の実施の形態３である光学機器の取付構造を示す断面図である。
【図３４】図３４は、図３３に示した光学機器の底面図である。
【図３５】図３５は、本発明の実施の形態３の変形例である光学機器の取付構造を示す断面図である。
【図３６】図３６は、図３５に示した光学機器の底面図である。
【図３７】図３７は、本発明の実施の形態４である光学機器の取付構造を示す平面図である。
【図３８】図３８は、図３７に示した被取付部材の平面図である。
【図３９】図３９は、図３７に示した光学機器の底面図である。
【発明を実施するための形態】
【００１４】
以下に、本発明にかかる光学機器の取付構造の実施の形態を図面に基づいて詳細に説明する。なお、この実施の形態によりこの発明が限定されるものでもない。
【００１５】
（実施の形態１）
図１は、本発明の実施の形態である光学機器の取付構造を構成するメスアリを示す斜視図である。また、図２は、図１に示したメスアリの平面図であり、図３は、図２に示したメスアリのIII−III断面図、図４は、図２に示したメスアリのIV−Ｏ１−IV断面図である。
【００１６】
本実施の形態である光学機器の取付構造は、被取付部材１００に設けたメスアリ１と、光学機器２００に設けたオスアリ２とにより構成される。そして、メスアリ１にオスアリ２を受け容れた状態でオスアリ２を押圧することにより、被取付部材１００に光学機器２００が取り付けられる。
【００１７】
図１に示すように、メスアリ１は、被取付部材１００の上面を取付面１１としており、取付面１１と直交する中心軸Ｏ１のまわりに形成した光路（小径穴）１２を有している。また、メスアリ１は、取付面１１に臨むとともに、光路１２に連通する受容部１３を有している。受容部１３は、光路１２と同心円をなすように、中心軸Ｏ１のまわりに形成した大径穴であり、光路１２と受容部１３との境界部分には、平坦な底面１４が形成されている。
【００１８】
図２に示すように、受容部１３の内径（Ｄ０（図３参照））は、オスアリ２を受け容れるのに十分な大きさを有しており、受容部１３の内周を三分する三つの位置のうち二つの位置には、内方に突出する爪部３（３Ａ，３Ｂ）が形成してある。そして、一方の爪部３Ａと他方の爪部３Ｂとに挟まれた中心角が１８０度未満の狭い角度をなす領域を着脱可能領域とし、一方の爪部３Ａと他方の爪部３Ｂとに挟まれた中心角が１８０度以上の広い角度をなす領域を着脱不能領域とする。
【００１９】
爪部３は、メスアリ１に受け容れたオスアリ２を支持するとともに取付精度を保証するのに適した幅（Ａ）を有している。また、図３および図４に示すように、爪部３の上面３１は、取付面１１からわずかに沈んでおり、オスアリ２は取付面１１と接し、爪部３の上面３１と接することはない。また、爪部３の内周面３２は、中心軸Ｏ１を中心に形成され、取付面１１から底面１４に向けて漸次大径となる円錐台の側面の一部を構成する。そして、取付面１１において最も小径（最小内周径：半径Ｒ０）となり、底面１４において最も大径となる。そして、爪部３の内周面３２は、傾斜曲面となる。
【００２０】
図４に示すように、爪部３の内周面３２が形成する円錐台の傾斜角度ａは、メスアリ１に受け容れたオスアリ２を支持するとともに取付精度を保証するのに適した角度に設定してある。なお、円錐台の外径が受容部１３の内径よりも大きくなることはない。
【００２１】
また、爪部３の上面３１と爪部３の内周面３２との境界には、中心軸Ｏ１を中心とした円筒面３３が形成してある。
【００２２】
また、図３および図４に示すように、受容部１３の内周を三分する三つの位置のうち残りの一つの位置には、被取付部材１００の側面から受容部１３に連通するネジ孔１５が設けてある。このネジ孔１５には、セットビス１６が螺合しており、メスアリ１にオスアリ２を受け容れた状態でセットビス１６を締めるとセットビス１６の先端が受容部１３に受け容れたオスアリ２の外周面を押圧し、オスアリ２の外周面が爪部３の内周面３２（傾斜曲面）に押し付けられる。
【００２３】
図５は、本発明の実施の形態である光学機器の取付構造を構成するオスアリを示す斜視図であり、図６は、図５に示したオスアリを中心軸まわりに１８０度回転させた状態を示す斜視図である。図７は、図５に示したオスアリの平面図であり、図８は、図７に示したオスアリのVIII−VIII断面図である。なお、図５〜図８において光学機器の胴付面を便宜上二点鎖線（仮想線）で示している。
【００２４】
図５および図６に示すように、オスアリ２は、光学機器２００の下面を胴付面２１としており、胴付面２１と直交する中心軸Ｏ２のまわりに形成した光路２２（小径穴）を有している。また、オスアリ２は、胴付面２１から下方に張り出す張出部４を有している。張出部４は、光路２２と同心円をなすように中心軸Ｏ２のまわりに形成してある。張出部４は、中心軸Ｏ２を中心とし、胴付面２１から下端面４１に向けて漸次大径となる円錐台形状を有している。そして、張出部４の外径は胴付面２１において最も小径となり、下端面４１において最も大径（直径Ｄ１（図８参照））となる。そして、張出部４の外周面４２は、傾斜曲面となる。
【００２５】
図８に示すように、張出部４の外周面４２が形成する円錐台の傾斜角度ｂは、上述した爪部３の内周面３２が形成する仮想円錐台の傾斜角度ａと同一であり、メスアリ１にオスアリ２を固定した場合に張出部４の外周面４２が爪部３の内周面３２と密着する。
【００２６】
また、張出部４の外周面４２と張出部４の下端面４１との境界には、中心軸Ｏ２を中心とした円筒面４３が形成してある。
【００２７】
また、図５〜図８に示すように、張出部４には、張出部４の外周面４２の一部が突出する態様で設けられた突出部４４を有している。突出部４４は、中心軸Ｏ２を中心としており、占有領域が上述したメスアリ１の着脱可能領域に収まるように形成してある。そして、突出部４４は、メスアリ１の着脱可能領域と合致させた状態で、張出部４が爪部３に係合するようにオスアリ２を傾けて挿入することにより、受容部１３に張出部４とともに受け容れられる。一方、受容部１３に張出部４が受け容れられた状態で、突出部４４を着脱可能領域から着脱不能領域に移動させると、突出部４４の外形と受容部１３の内壁面１３Ａとが干渉し、受容部１３から突出部４４が着脱不能となる。
【００２８】
以上説明したメスアリ１とオスアリ２とは、Ｄ０を受容部１３の内径（直径）、Ｒ０を爪部３の最小内周径（半径）、Ｄ１を張出部４の最大径（直径）、Ｒ１を突出部４４の最大外周径（半径）、Ｌ０をメスアリ１に設けた着脱可能領域（円弧長）、Ｌ１を突出部４４の占有領域（円弧長）とすると、以下に示す関係を有する。
（１）Ｄ０／２＋Ｒ０＞Ｄ１
（２）Ｌ０＞Ｌ１
（３）Ｄ０＞Ｄ１／２＋Ｒ１
（４）Ｄ０／２＞Ｒ１
（５）Ｌ０＜πＲ０
（６）Ｄ０／２＋Ｒ０＞Ｄ１／２＋Ｒ１
【００２９】
したがって、たとえば、受容部１３の内径Ｄ０を５５ｍｍ、張出部４の最大径Ｄ１を４６ｍｍ、爪部３の最小内周径（半径）Ｒ０を２１ｍｍ、突出部４４の最大外径（半径）Ｒ１を２６．５ｍｍ、着脱可能領域（円弧長）Ｌ０を４０ｍｍ、突出部４４の占有領域（円弧長）Ｌ１を２０ｍｍ、傾斜角度ａを６０度、爪部３Ａと爪部３Ｂとに挟まれた中心角Ｂを１２０度、爪部３の幅Ａを６ｍｍに設定できる。
【００３０】
図９は、メスアリがオスアリを受け容れる直前の状態を示す斜視図である。図１０および図１１は、メスアリがオスアリを受け容れた状態を示す斜視図であって、図１０はオスアリが着脱可能な状態を示す図であり、図１１はオスアリが着脱不能な状態を示す図である。図１２は、メスアリがオスアリを受け入れた状態を示す平面図であって、オスアリが着脱可能な状態を示す図である。また、図１３は、図１２に示したXIII−XIII断面図であり、図１４は、図１２に示したXIV―Ｏ―XIV断面図である。また、図１５は、爪部と突出部とが重なった状態を示す平面図であり、図１６は、図１５に示したXVI−XVI断面図である。図１７は、メスアリがオスアリを受け入れた状態を示す平面図であって、オスアリが着脱不能な状態を示す図である。図１８は、図１７に示したXVIII−XVIII断面図であり、図１９は、図１７に示したXIX−Ｏ−XIX断面図である。
【００３１】
図９に示すように、被取付部材１００に光学機器２００を取り付ける場合には、被取付部材１００に設けたメスアリ１の着脱可能領域に光学機器２００に設けたオスアリ２の突出部４４を対向させる。つぎに、光学機器２００を傾けることにより、メスアリ１の爪部３にオスアリ２の張出部４が係合するように挿入する。すると、突出部４４は張出部４とともに受容部１３に受け容れられる。
【００３２】
図１０および図１２〜図１４に示すように、この状態で張出部４の外周面４２と受容部１３の内壁面１３Ａとの間にできる隙間ｅ１は、オスアリ２を傾けることにより受容部１３から張出部４を取り出すのに十分な隙間であり、被取付部材１００に対して光学機器２００を傾けることにより、被取付部材１００から光学機器２００を取り外すことができる。
【００３３】
つぎに、光学機器２００を１８０度回転させることにより、突出部４４をメスアリ１の着脱不能領域に移動させる。
【００３４】
図１５および図１６に示すように、突出部４４の移動途中において、爪部３Ａと突出部４４とが重なることになる。この場合において、張出部４の外周面４２と受容部１３の内壁面１３Ａ、および爪部３Ａの内周面３２と突出部４４の外周面は干渉することがなく、突出部４４が爪部３Ａを通り過ぎることができる。
【００３５】
図１１、図１７〜図１９に示すように、突出部４４がメスアリ１の着脱不能領域に移動した状態で張出部４の突出部４４と受容部１３の内壁面１３Ａとの間にできる隙間ｅ２は、オスアリ２を傾けることにより受容部１３から張出部４を取り出すのに不十分な隙間であり、被取付部材１００に対して光学機器２００を傾けても、張出部４の突出部４４と受容部１３の内壁面１３Ａとが干渉して、被取付部材１００から光学機器２００を取り外すことができない。
【００３６】
つぎに、セットビス１６を締めれば、爪部３の内周面３２と張出部４の外周面４２とが密着し、メスアリ１の中心軸Ｏ１とオスアリ２の中心軸Ｏ２が一致する。通常、メスアリ１の中心軸Ｏ１は被取付部材１００の光軸としてあり、オスアリ２の中心軸Ｏ２は光学機器２００の光軸としてあるから、被取付部材１００の光軸と光学機器２００の光軸が一致することになる。
【００３７】
一方、被取付部材１００から光学機器２００を取り外す場合には、まず、セットビス１６を緩めることになる。上述したように、この状態で張出部４の突出部４４と受容部１３の内壁面１３Ａとの間にできる隙間ｅ２は、オスアリ２を傾けることにより受容部１３から張出部４を取り出すのに不十分な隙間であり、被取付部材１００に対して光学機器２００を傾けても、張出部４の突出部４４と受容部１３の内壁面１３Ａとが干渉して、被取付部材１００から光学機器２００を取り外すことはできない。言い換えると、この状態で、被取付部材１００から光学機器２００が脱落することはない。
【００３８】
つぎに、光学機器２００を１８０度回転させることにより、突出部４４をメスアリ１の着脱可能領域に移動させる。上述したように、この状態で張出部４の外周面４２と受容部１３の内壁面１３Ａとの間にできる隙間ｅ１は、オスアリ２を傾けることにより受容部１３から張出部４を取り出すのに十分な隙間であり、被取付部材１００に対して光学機器２００を傾ければ、被取付部材１００から光学機器２００が取り外される。
【００３９】
上述した本発明の実施の形態１である光学機器の取付構造は、被取付部材１００に設けたメスアリ１の着脱可能領域に光学機器２００に設けたオスアリ２の突出部４４を対向させた状態で、光学機器２００を傾ければ、被取付部材１００に対して光学機器２００が着脱される。
【００４０】
一方、光学機器２００に設けたオスアリ２の突出部４４をメスアリ１の着脱不能領域に移動させれば、光学機器２００を傾けても張出部４の突出部４４と受容部１３の内壁面１３Ａとが干渉して、被取付部材１００から光学機器２００が脱落することがない。したがって、セットビス１６を緩めても被取付部材１００から光学機器２００が脱落する事態を防止できる。
【００４１】
なお、上述した本発明の実施の形態１である光学機器の取付構造は、被取付部材１００にメスアリ１を設け、光学機器２００にオスアリ２を設けるものとしたが、光学機器２００にメスアリ１を設け、被取付部材１００にオスアリ２を設けるものとしてもよい。
【００４２】
図２０および図２１は、本発明の実施の形態１である光学機器の取付構造を鏡筒の取付構造に適用した正立顕微鏡の側面図であって、図２０は、鏡筒が着脱不能な状態を示す図であり、図２１は、鏡筒が着脱可能な状態を示す図である。
【００４３】
図２０および図２１に示すように、本発明の実施の形態１である光学機器の取付構造を鏡筒の取付構造に適用した正立顕微鏡は、顕微鏡本体３００を構成するアーム３０１の上面にメスアリ１を形成する一方、鏡筒４００の下面にオスアリ２を形成する。
【００４４】
図２０に示すように、顕微鏡本体３００に対して鏡筒４００が正対した場合にメスアリ１の着脱不能領域に突出部４４が対向し、図２１に示すように、顕微鏡本体３００に対して鏡筒４００が反転した場合にメスアリ１の着脱可能領域に突出部４４が対向するように、鏡筒４００の下面にオスアリ２が形成してある。
【００４５】
このように、オスアリ２を形成すると、図２０に示すように、顕微鏡本体３００に対して鏡筒４００が正対した場合にメスアリ１の着脱不能領域にオスアリ２の突出部４４が対向するので、上述したように、張出部４の突出部４４と受容部１３の内壁面１３Ａとの間にできる隙間ｅ２は、鏡筒４００を傾けることにより受容部１３から張出部４を取り出すのに不十分な隙間であり、顕微鏡本体３００に対して鏡筒４００を傾けても、張出部４の突出部４４と受容部１３の内壁面１３Ａとが干渉して、顕微鏡本体３００から鏡筒４００を取り外すことはできない（図１１、図１８、図１９参照）。言い換えると、この状態で顕微鏡本体３００から鏡筒４００が脱落することはない。
【００４６】
また、このように、オスアリ２を形成すると、図２１に示すように、顕微鏡本体３００に対して鏡筒が反転した場合にメスアリ１の着脱可能領域にオスアリ２の突出部４４が対向するので、上述したように、張出部４の突出部４４と受容部１３の内壁面１３Ａとの間にできる隙間ｅ１は、鏡筒４００を傾けることにより受容部１３から張出部４を取り出すのに十分な隙間であり、顕微鏡本体３００に対して鏡筒４００を傾けることにより、顕微鏡本体３００から鏡筒４００が取り外される。
【００４７】
このように、本発明の実施の形態１である光学機器の取付構造を鏡筒４００の取付構造に適用した正立顕微鏡は、顕微鏡本体３００に対して鏡筒４００が正対した状態でセットビス３０２を緩めても顕微鏡本体３００から鏡筒４００が脱落することはない。一方、鏡筒４００を顕微鏡本体３００に正対した状態から反転した状態に移動させれば、鏡筒４００が顕微鏡本体３００に対して着脱可能となり、鏡筒４００を交換できる。
【００４８】
なお、上述した正立顕微鏡は、顕微鏡本体３００に対して鏡筒４００が正対した場合にメスアリ１の着脱不能領域に突出部４４が対向し、顕微鏡本体３００に対して鏡筒４００が反転した場合にメスアリ１の着脱可能領域に突出部４４が対向するように、鏡筒４００の下面にオスアリ２を形成したが、鏡筒４００が使用可能な領域において突出部４４がメスアリの着脱不能領域に対向し、鏡筒４００が使用不能な領域において突出部４４がメスアリ１の着脱可能領域に対向するようにオスアリ２を形成してあればよく、突出部４４がメスアリ１の着脱可能領域に対向した場合にセットビス１６が突出部４４を押圧するものでなくてもよい。
【００４９】
図２２は、本発明の実施の形態１である光学機器の取付構造を鏡筒の取付構造に適用した顕微鏡装置の側面図である。
【００５０】
図２２に示すように、本発明の実施の形態１である光学機器の取付構造を鏡筒の取付構造に適用した顕微鏡装置は、顕微鏡本体５００を構成するアーム５０１の下面にメスアリ１を形成する一方、鏡筒６００の上面にオスアリ２を形成する。
【００５１】
図２２に示すように、顕微鏡本体５００に対して鏡筒６００が正対した場合にメスアリ１の着脱不能領域に突出部４４が対向し、顕微鏡本体５００に対して鏡筒６００が反転した場合にメスアリ１の着脱可能領域に突出部４４が対向するように、鏡筒６００の上面にオスアリ２が形成してある。
【００５２】
このように、オスアリ２を形成すると、図２２に示すように、顕微鏡本体５００に対して鏡筒６００が正対した場合にメスアリ１の着脱不能領域にオスアリ２の突出部４４が対向するので、上述したように、張出部４の突出部４４と受容部１３の内壁面１３Ａとの間にできる隙間ｅ２は、鏡筒６００を傾けることにより受容部１３から張出部４を取り出すのに不十分な隙間であり、顕微鏡本体５００に対して鏡筒６００を傾けても、張出部４の突出部４４と受容部１３の内壁面１３Ａとが干渉して取り外すことはできない。言い換えると、この状態で顕微鏡本体５００から鏡筒６００が脱落することはない。
【００５３】
また、このようにオスアリ２を形成すると、顕微鏡本体５００に対して鏡筒６００が反転した場合にメスアリ１の着脱可能領域にオスアリ２の突出部４４が対向するので、上述したように、張出部４の突出部４４との間にできる隙間ｅ１は、鏡筒６００を傾けることにより、受容部１３から張出部４を取り出すのに十分な隙間であり、顕微鏡本体５００に対して鏡筒６００を傾けることにより、顕微鏡本体５００から鏡筒６００が取り外される。
【００５４】
このように、本発明の実施の形態１である光学機器の取付構造を鏡筒６００の取付構造に適用した顕微鏡装置は、顕微鏡本体５００に対して鏡筒６００が正対した状態でセットビス５０２を緩めても顕微鏡本体５００から鏡筒６００が脱落することはない。一方、鏡筒６００を顕微鏡本体５００に正対した状態から反転した状態に移動させれば、鏡筒６００が顕微鏡本体５００に対して着脱可能となり、鏡筒を交換できる。
【００５５】
（実施の形態２）
図２３は、本発明の実施の形態２である光学機器の取付構造を示す平面図であって、光学機器が着脱可能な状態を示す図である。図２４は、図２３に示したXXIV−XXIV断面図である。図２５は、本発明の実施の形態２である光学機器の取付構造を示す平面図であって、光学機器が着脱不能な状態を示す図である。図２６は、図２５に示したXXVI−Ｏ−XXVI断面図である。
【００５６】
本発明の実施の形態２である光学機器の取付構造は、オスアリの突出部の形状を除いて、上述した実施の形態１である光学機器の取付構造と異なるところはないので、同一の構成については同一の符号を付して説明を省略する。
【００５７】
図２３〜図２６に示すように、本発明の実施の形態２である光学機器の取付構造を構成するオスアリ２の突出部１４４は、胴付面２１における外径を胴付面２１における張出部４の外径よりも小さく設定したものである。
【００５８】
被取付部材１００に設けたメスアリ１の着脱可能領域に光学機器２００に設けたオスアリ２の突出部１４４を対向させ、光学機器２００を傾けることにより、メスアリ１の爪部３にオスアリ２の張出部４が係合するように挿入すると、突出部１４４は張出部４とともに受容部１３に受け容れられる。
【００５９】
図２３および図２４に示すように、実施の形態２である光学機器の取付構造において、着脱可能領域に突出部１４４を受け容れた状態で張出部４の外周面と受容部１３の内壁面１３Ａとの間にできる隙間ｅ１は、オスアリ２を傾けることにより受容部１３から張出部４を取り出すのに十分な隙間であり、被取付部材１００に対して光学機器２００を傾けることにより、被取付部材１００から光学機器２００を取り外すことができる。
【００６０】
図２５および図２６に示すように、光学機器２００を１８０度回転させることにより、突出部１４４をメスアリ１の着脱不能領域に移動させる。
【００６１】
すると、実施の形態２である光学機器の取付構造において、着脱不能領域に突出部１４４を受け容れた状態で張出部４の外周面と受容部１３の内壁面１３Ａとの間にできる隙間ｅ２は、オスアリ２を傾けても受容部１３から張出部４を取り出すのに不十分な隙間であり、被取付部材１００に対して光学機器２００を傾けても、張出部４の突出部１４４が受容部１３の内壁面１３Ａとが干渉して、被取付部材１００から光学機器２００を取り外すことができない。
【００６２】
上述した本発明の実施の形態２である光学機器の取付構造は、実施の形態１である光学機器の取付構造と同様に、被取付部材１００に設けたメスアリ１の着脱可能領域に光学機器２００に設けたオスアリ２の突出部１４４を対向させた状態で、光学機器２００を傾ければ、被取付部材１００に対して光学機器２００が着脱される。
【００６３】
一方、光学機器２００に設けたオスアリ２の突出部４４をメスアリ１の着脱不能領域に移動させれば、光学機器２００を傾けても張出部４の突出部１４４と受容部１３の内壁面１３Ａとが干渉して、被取付部材１００から光学機器２００が脱落することがない。したがって、セットビス１６を緩めても被取付部材１００から光学機器２００が脱落する事態を防止できる。
【００６４】
（実施の形態２の変形例１）
図２７は、本発明の実施の形態２の変形例１である光学機器の取付構造を示す平面図であって、光学機器が着脱可能な状態を示す図である。図２８は、図２７に示したXXVIII−XXVIII断面図である。図２９は、本発明の実施の形態２の変形例１である光学機器の取付構造を示す平面図であって、光学機器が着脱不能な状態を示す図である。図３０は、図２９に示したXXX−Ｏ−XXX断面図である。
【００６５】
本発明の実施の形態２の変形例１である光学機器の取付構造は、オスアリの突出部の形状を除いて、上述した実施の形態２である光学機器の取付構造と異なるところはないので、同一の構成については同一の符号を付して説明を省略する。
【００６６】
図２７〜図３０に示すように、本発明の実施の形態３である光学機器の取付構造を構成するオスアリ２の突出部２４４は、張出部４から鍔状に突出している。
【００６７】
被取付部材１００に設けたメスアリ１の着脱可能領域に光学機器２００に設けたオスアリ２の突出部２４４を対向させ、光学機器２００を傾けることにより、メスアリ１の爪部３にオスアリ２の張出部４が係合するように挿入すると、突出部２４４は張出部４とともに受容部１３に受け容れられる。
【００６８】
図２７および図２８に示すように、実施の形態２の変形例１である光学機器の取付構造において、着脱可能領域に突出部２４４を受け容れた状態で張出部４の外周面と受容部１３の内壁面１３Ａとの間にできる隙間ｅ１は、オスアリ２を傾けることにより受容部１３から張出部４を取り出すのに十分な隙間であり、被取付部材１００に対して光学機器２００を傾けることにより、被取付部材１００から光学機器２００を取り外すことができる。
【００６９】
図２９および図３０に示すように、光学機器２００を１８０度回転させることにより、突出部２４４をメスアリ１の着脱不能領域に移動させる。
【００７０】
すると、実施の形態２の変形例１である光学機器の取付構造において、着脱不能領域に突出部２４４を受け容れた状態で張出部４の外周面と受容部１３の内壁面１３Ａとの間にできる隙間ｅ２は、オスアリ２を傾けても受容部１３から張出部４を取り出すのに不十分な隙間であり、被取付部材１００に対して光学機器２００を傾けても、張出部４の突出部２４４が受容部１３の内壁面１３Ａとが干渉して、被取付部材１００から光学機器２００を取り外すことができない。
【００７１】
上述した本発明の実施の形態２の変形例１である光学機器の取付構造は、実施の形態２である光学機器の取付構造と同様に、被取付部材１００に設けたメスアリ１の着脱可能領域に光学機器２００に設けたオスアリ２の突出部２４４を対向させた状態で、光学機器２００を傾ければ、被取付部材１００に対して光学機器２００が着脱される。
【００７２】
一方、光学機器２００に設けたオスアリ２の突出部４４をメスアリ１の着脱不能領域に移動させれば、光学機器２００を傾けても張出部４の突出部２４４と受容部１３の内壁面１３Ａとが干渉して、被取付部材１００から光学機器２００が脱落することがない。したがって、セットビス１６を緩めても被取付部材１００から光学機器２００が脱落する事態を防止できる。
【００７３】
（実施の形態２の変形例２）
図３１は、本発明の実施の形態２の変形例２である光学機器の取付構造を示す平面図であって、光学機器が着脱不能な状態を示す図である。図３２は、図３１に示したXXXII−O―XXXII断面図である。
【００７４】
図３１および図３２に示すように、突出部２４４は、張出部４の外周面４２（傾斜曲面）と同一面を形成する必要はなく、平坦面２４５としてもよく、さらに、セットビス１６が収まる座２４６を設けてもよい。
【００７５】
（実施の形態３）
図３３は、本発明の実施の形態３である光学機器の取付構造を示す断面図である。図３４は、図３３に示した光学機器の底面図である。
【００７６】
本発明の実施の形態３である光学機器の取付構造は、突出部３４４をオスアリ２の張出部４と別体で構成したことを除いて、上述した実施の形態１である光学機器２００の取付構造と異なるところはないので、同一の構成については同一の符号を付して説明を省略する。
【００７７】
図３３および図３４に示すように、本発明の実施の形態３である光学機器の取付構造を構成するオスアリ２の突出部３４４は、張出部４に着脱可能に取り付けられる。張出部４の下端面４１には一対の雌ネジ４１１が二組設けてあり、任意の一組を選択し突出部３４４を取り付けられる。具体的には、突出部３４４を貫通する皿ビス３４５を螺合させることにより取り付けられる。
【００７８】
上述した本発明の実施の形態３である光学機器の取付構造は、張出部４の下端面４１に設けた二組の雌ネジ４１１を選択して突出部３４４を取り付けられる。したがって、選択した方向に突出部３４４が位置するように突出部３４４を張出部４に取り付けることができる。
【００７９】
（実施の形態３の変形例）
図３５は、本発明の実施の形態３の変形例である光学機器の取付構造を示す断面図である。図３６は、図３５に示した光学機器の底面図である。
【００８０】
本発明の実施の形態３の変形例である光学機器の取付構造は、光学機器２００とオスアリ２０２とを別体で構成したことを除いて、上述した実施の形態１である光学機器の取付構造と異なるところはないので、同一の構成については同一の符号を付して説明を省略する。
【００８１】
図３５および図３６に示すように、本発明の実施の形態１の変形例である光学機器の取付構造を構成するオスアリ２０２は、光学機器２００に着脱可能に取り付けられる。光学機器２００の下面には、左右対称となる雌ネジ（図示せず）が設けてあり、オスアリ２０２を貫通する皿ビス２０３を雌ネジに螺合させることにより取り付けられる。なお、オスアリ２０２は、突出部４４が図３６において右側に位置するように取り付けることもできれば、左側に位置するように取り付けることもできる。
【００８２】
上述した本発明の実施の形態３の変形例である光学機器の取付構造は、右側と左側のいずれか一方を選択し、選択した方向に突出部４４が位置するようにオスアリ２０２を取り付けることができる。
【００８３】
（実施の形態４）
図３７は、本発明の実施の形態４である光学機器の取付構造を示す平面図である。図３８は、図３７に示した被取付部材の平面図であり、図３９は、図３７に示した光学機器の底面図である。
【００８４】
図３７および図３８に示すように、本発明の実施の形態４である光学機器の取付構造を構成するメスアリ１は、爪部３Ａと爪部３Ｂとの間に爪部３Ｃを有している。爪部３Ｃの内周面は、爪部３Ａ，３Ｂと同様に、Ｏ１を中心に形成され、取付面１１から底面１４に向けて漸次大径となる円錐台の側面の一部を形成する。
【００８５】
図３７および図３９に示すように、本発明の実施の形態４である光学機器の取付構造を構成するオスアリ２は、一対の突出部４４Ａ，４４Ｂを有している。突出部４４Ａ，４４Ｂは爪部３Ｃを挟んだ状態で、張出部４が爪部３に係合するようにオスアリ２を傾けて挿入することにより、受容部１３に張出部４とともに受け容れられる。一方、受容部１３に張出部４が受け容れられた状態で、オスアリ２を１８０度回転移動させると、突出部４４Ａ，４４Ｂの外形と受容部１３の内壁面１３Ａとが干渉し、受容部１３から突出部４４が着脱不能となる。
【符号の説明】
【００８６】
１    メスアリ
１１    取付面
１２    光路
１３    受容部
１３Ａ    内壁面
１４    底面
１５    ネジ孔
１６    セットビス
２    オスアリ
２１    胴付面
２２    光路
３    爪部
３１    上面
３２    内周面
３３    円筒面
４    張出部
４１    下端面
４２    外周面
４３    円筒面
４４    突出部
１００    被取付部材
２００    光学機器
３００    顕微鏡本体
３０１    アーム
３０２    セットビス
４００    鏡筒
５００    顕微鏡本体
５０１    アーム
５０２    セットビス
６００    鏡筒
ａ    傾斜角度
ｂ    傾斜角度
Ｏ１    中心軸
Ｏ２    中心軸
【図１】
0005498294.tif 000002
【図２】
0005498294.tif 000003
【図３】
0005498294.tif 000004
【図４】
0005498294.tif 000005
【図５】
0005498294.tif 000006
【図６】
0005498294.tif 000007
【図７】
0005498294.tif 000008
【図８】
0005498294.tif 000009
【図９】
0005498294.tif 000010
【図１０】
0005498294.tif 000011
【図１１】
0005498294.tif 000012
【図１２】
0005498294.tif 000013
【図１３】
0005498294.tif 000014
【図１４】
0005498294.tif 000015
【図１５】
0005498294.tif 000016
【図１６】
0005498294.tif 000017
【図１７】
0005498294.tif 000018
【図１８】
0005498294.tif 000019
【図１９】
0005498294.tif 000020
【図２０】
0005498294.tif 000021
【図２１】
0005498294.tif 000022
【図２２】
0005498294.tif 000023
【図２３】
0005498294.tif 000024
【図２４】
0005498294.tif 000025
【図２５】
0005498294.tif 000026
【図２６】
0005498294.tif 000027
【図２７】
0005498294.tif 000028
【図２８】
0005498294.tif 000029
【図２９】
0005498294.tif 000030
【図３０】
0005498294.tif 000031
【図３１】
0005498294.tif 000032
【図３２】
0005498294.tif 000033
【図３３】
0005498294.tif 000034
【図３４】
0005498294.tif 000035
【図３５】
0005498294.tif 000036
【図３６】
0005498294.tif 000037
【図３７】
0005498294.tif 000038
【図３８】
0005498294.tif 000039
【図３９】
0005498294.tif 000040